(57)【要約】【課題】会員情報を一括管理するデータセンターに会員情報をリアルタイム通信で問合せできない環境、または、会員数が多いため各店舗に全情報を保持することが出来ない環境、または、ＩＣカードや磁気カード等の外部記憶媒体を読み込むための機器を設置できない環境（ローカル環境という）においては、特定の人に対して優待価格での販売、特定の人に購買時に特定の情報を出力、より正確な販売実績の分析をするための正確な購買年齢の把握を可能とする装置及び方法の提供。【解決手段】セキュリティ面も考慮して性別や生年月日を変換した会員番号を記録した会員カードを用い、スキャナ１０５により、会員情報としての性別及び生年月日を暗号化してバーコード化した会員カードは読み込みが行われ、スキャナ１０５にて、商品のコードの読み込みが行われ、前記会員の性別及び生年月日と、ＰＬＵマスタファイル１１１に格納された商品の優待情報とに基づき、前記会員が優待対象である場合、ＰＬＵマスタファイル１１１に記憶されている優待情報を出力する。【選択図】図１
2004157920.tif 000002
【特許請求の範囲】
【請求項１】
商品コードを読み込むための入力手段と、
前記商品に関する優待情報を商品コードに対応させて格納した記憶手段と、
を備え、
前記入力手段により、会員情報として、会員の性別及び生年月日情報を暗号化しコード化してなる会員カードの読み込みが行われるとともに、前記入力手段にて商品コードの読み込みが行われ、
前記会員の性別及び生年月日情報と商品の優待情報とに基づき、前記会員が優待対象であると判定した場合、前記記憶手段に記憶されている優待情報を出力する手段を備えている、ことを特徴とする端末装置。
【請求項２】
前記入力手段が、バーコードを読み取るスキャナよりなり、
前記会員カードには、会員情報がバーコード印刷されている、ことを特徴とする請求項１記載の端末装置。
【請求項３】
前記会員カードには、会員の性別と誕生日の日付とを合わせて３桁の数字としてコード化されている、ことを特徴とする請求項１又は２記載の端末装置。
【請求項４】
前記会員カードには、会員の生年に２桁、会員の性別と誕生日の日付に３桁の、計５桁の数字がコード化されている、ことを特徴とする請求項１又は２記載の端末装置。
【請求項５】
前記会員カードには、会員の性別と誕生日の日付として、月日及び閏年を考慮して、男性又は女性の一方は、誕生日の日付に基づき、３６６通りの３桁の数に一意に設定され、男性又は女性の他方は、誕生日の日付に基づき、前記３６６通りの数とは異なる値の３桁の３６６通りの数に一意に設定されてコード化されている、ことを特徴とする請求項３又は４記載の端末装置。
【請求項６】
前記端末装置が、ＰＯＳ端末装置よりなる、ことを特徴とする請求項１記載の端末装置。
【請求項７】
商品を特定するための商品コードを入力する入力手段と、
商品コードと商品との関連を保持するＰＬＵマスタファイルと、
入力された情報を記憶するためのメモリと、
装置の動作を制御する制御部と、
前記制御部の命令に応じて処置の状態を表す出力手段と、
前記出力手段に出力する情報を保持する出力データファイルと、
売上データを出力し保持する売上データファイルと、
を有するＰＯＳシステムにおいて、
前記ＰＬＵマスタファイルに、優待価格で販売する商品、及び、該商品の優待対象となるべき会員の性別及び／又は生年月日情報を保持し、
会員カードより、前記入力手段にて、会員情報の読み取りが行われ、
前記会員カードには、少なくとも、会員の性別及び生年月日情報を暗号化した値がコード化されており、
前記会員カードより読み取られた前記会員の性別及び生年月日情報と、前記マスタファイルに格納されている優待価格で販売する商品の対象とする性別及び／又は生年月日情報とに基づき、所定の性別、年齢層、誕生日の会員に対して、優待価格を、前記出力手段に出力するように制御する手段を備えている、ことを特徴とするＰＯＳシステム。
【請求項８】
前記出力データファイルが、予め定められた特定の年齢、誕生日、性別ごとの画像、メッセージや音声情報を記憶保持し、
前記会員カードより、前記入力手段で読み取られた前記会員の性別及び生年月日情報が、前記出力データファイルに記憶保持されている特定の性別、年齢や誕生日に該当するものであるか否か判定し、該当する場合、前記会員が商品購買時に、前記出力手段に、前記画像、メッセージ、音声情報のうちの少なくとも１つを出力する手段を備えている、ことを特徴とする請求項６記載のＰＯＳシステム。
【請求項９】
前記会員カードより前記入力手段で読み取られた前記会員の性別及び生年月日情報に基づき、商品の購買年齢を取得し、前記売上データファイルに出力する手段を備えている、ことを特徴とする請求項７記載のＰＯＳシステム。
【請求項１０】
店舗において、前記ＰＯＳシステムが会員情報を一括管理するデータベースに接続するホストコンピュータセンターに接続して会員情報をリアルタイムで問合せを行うことができないか、
店舗の前記ＰＯＳシステムに全ての会員情報を保持することができないか、あるいは、
前記ＰＯＳシステムにＩＣカードや磁気カードを読み込むためのカードリーダ装置が設置されていない場合にも、前記ＰＯＳシステム単独で、前記優待販売を行える、ことを特徴とする請求項７記載のＰＯＳシステム。
【請求項１１】
店舗において、前記ＰＯＳシステムが会員情報を一括管理するデータベースに接続するホストコンピュータセンターに接続して会員情報をリアルタイムで問合せを行うことができないか、
店舗の前記ＰＯＳシステムに全ての会員情報を保持することができないか、あるいは、
ＩＣカードや磁気カードの外部記録媒体を読み込むカードリーダ装置が前記ＰＯＳシステムに設置されていない場合にも、
前記ＰＯＳシステムが、前記画像、メッセージ、音声情報のいずれかを出力する、ことを特徴とする請求項８記載のＰＯＳシステム。
【請求項１２】
商品コードを読み込むための入力手段により、会員情報としての会員の性別及び生年月日情報を暗号化してバーコード化した会員カードの読み込みが行われ、前記入力手段により、商品のコードのメモリへの読み込みが行われるステップと、
端末装置の制御部は、商品コードに対応させて商品の優待情報が予め格納された記憶手段を参照し、前記商品の優待情報と、前記読み込まれた会員の性別及び生年月日とに基づき、前記会員が優待対象であると判定した場合、前記商品の優待情報を出力手段に出力する制御を行うステップと、
を含む、ことを特徴とする端末装置の制御方法。
【請求項１３】
前記入力手段が、バーコードを読み取るスキャナよりなり、
前記会員カードには、会員情報がバーコード印刷されている、ことを特徴とする請求項１２記載の端末装置の制御方法。
【請求項１４】
前記会員カードには、会員の性別と誕生日の日付とを合わせて３桁の数字としてコード化されている、ことを特徴とする請求項１２又は１３記載の端末装置の制御方法。
【請求項１５】
前記会員カードには、会員の生年に２桁、会員の性別と誕生日の日付に３桁の、計５桁の数字がコード化されている、ことを特徴とする請求項１２又は１３記載の端末装置の制御方法。
【請求項１６】
前記会員カードには、会員の性別と誕生日の日付として、月日及び閏年を考慮して、男性又は女性の一方は、誕生日の日付に基づき、３６６通りの３桁の数に一意に設定され、男性又は女性の他方は、誕生日の日付に基づき、前記３６６通りの数とは異なる値の３桁の３６６通りの数に一意に設定されてコード化されている、ことを特徴とする請求項１４又は１５記載の端末装置の制御方法。
【請求項１７】
前記端末装置が、ＰＯＳ端末装置よりなる、ことを特徴とする請求項１２記載の端末装置の制御方法。
【請求項１８】
商品コードと商品との関連を保持するＰＬＵマスタファイルに、優待価格で販売する商品、及び、該商品の優待対象とする会員の性別及び／又は生年月日情報を予め記憶しておくステップと、
会員の性別及び生年月日を暗号化しコード化した会員カードより、ＰＯＳ装置の入力手段にて、会員情報を読み取るステップと、
前記ＰＯＳ装置の前記入力手段により、商品を特定するための商品コードを入力するステップと、
前記ＰＯＳ装置の制御部は、前記入力手段で読み取られた商品コードから前記ＰＬＵマスタファイルを検索し、前記会員カードより読み取られた前記会員の性別及び生年月日情報と、前記ＰＬＵマスタファイルに格納されている優待価格で販売する商品の対象とする性別及び／又は生年月日情報を照合し、所定の性別、年齢、誕生日の顧客に対して、優待価格を前記出力手段に出力するように制御するステップと、
を含む、ことを特徴とするＰＯＳ装置の制御方法。
【請求項１９】
前記ＰＯＳ装置の出力手段に出力する情報を記憶保持するための出力データファイルに、予め定められた特定の年齢、誕生日、性別ごとの画像、メッセージや音声情報を記憶しておくステップと、
前記会員カードより読み取られた前記会員の性別及び生年月日情報が、前記出力データファイルに記憶される特定の性別、年齢や誕生日に該当するものであるか判定し、該当する場合、前記会員が商品購買時に、前記出力手段に、前記画像、メッセージ、音声情報のいずれかを出力するステップを、
を含む、ことを特徴とする請求項１８記載のＰＯＳ装置の制御方法。
【請求項２０】
前記会員カードより前記入力手段で読み取られた前記会員の性別及び生年月日に基づき、商品の購買年齢を取得し、商品の売上データファイルに出力するステップを含む、ことを特徴とする請求項１８記載のＰＯＳ装置の制御方法。
【請求項２１】
店舗において、前記ＰＯＳ装置が会員情報を一括管理するデータベースに接続するホストコンピュータセンターに接続し会員情報をリアルタイムで問合せを行うことができないか、
店舗の前記ＰＯＳ装置に全ての会員情報を保持することができないか、あるいは、
ＩＣカードや磁気カードの外部記録媒体を読み込むカードリーダ装置が前記ＰＯＳ装置に設置されていない場合にも、前記ＰＯＳ装置単独で、前記優待販売を行える、ことを特徴とする請求項１８記載のＰＯＳ装置の制御方法。
【請求項２２】
店舗において、前記ＰＯＳ装置が会員情報を一括管理するデータベースに接続するホストコンピュータセンターに接続して会員情報をリアルタイムで問合せを行うことができないか、
店舗の前記ＰＯＳ装置に全ての会員情報を保持することができないか、あるいは、
ＩＣカードや磁気カードの外部記録媒体を読み込むカードリーダ装置が前記ＰＯＳ装置に設置されていない場合にも、
前記ＰＯＳ装置で、前記画像、メッセージ、音声情報のいずれかを出力する、ことを特徴とする請求項１９記載のＰＯＳ装置の制御方法。
【請求項２３】
商品を特定するための商品コードを入力する入力手段と、
商品コードと商品との関連を保持するＰＬＵマスタファイルと、
入力された情報を記憶するためのメモリと、
装置の動作を制御する制御部と、
前記制御部の命令に応じて処置の状態を表す出力手段と、
前記出力手段に出力する情報を保持する出力データファイルと、
売上データを出力し保持する売上データファイルと、
を有し、
前記ＰＬＵマスタファイルに、優待価格で販売する商品、及び、該商品の対象とする性別及び／又は生年月日情報を保持するＰＯＳ装置を構成するコンピュータに、
会員の性別及び生年月日を暗号化しコード化した会員カードより前記入力手段にて読み取られた会員情報をメモリに記憶し、前記入力手段により読み取られた商品コードから前記ＰＬＵマスタファイルを検索し、前記会員カードより読み取られた前記メモリに保持されている前記会員の性別及び生年月日情報と、前記ＰＬＵマスタファイルに格納されている優待価格で販売する商品の対象とする性別及び／又は生年月日情報を照合し、所定の性別、年齢、誕生日の顧客に対して、優待価格を前記出力手段に出力するように制御する処理を、前記コンピュータに実行させるプログラム。
【請求項２４】
請求項２３記載のプログラムにおいて、前記出力データファイルが、予め定められた特定の年齢、誕生日、性別ごとの画像、メッセージや音声情報を記憶しておき、前記会員カードより前記入力手段で読み取られた前記会員の性別、生年月日が、前記出力データファイルに記憶される特定の性別、年齢や誕生日に該当するものであるか判定し、該当する場合、前記会員が商品購買時に、前記出力手段に、前記画像、メッセージ、音声情報のいずれかを出力する処理を、前記コンピュータに実行させるプログラム。
【請求項２５】
請求項２３記載のプログラムにおいて、前記会員カードより前記入力手段で読み取られた前記会員の性別、生年月日に基づき、商品の購買年齢を取得し、前記売上データファイルに出力する処理を、前記コンピュータに実行させるプログラム。
【請求項２６】
会員情報をコンピュータに用いて作成し会員カードに記録するための方法であって、
会員の性別と誕生日の日付とを合わせて３桁の数字にコード化して記録する、ことを特徴とする会員カード作成方法。
【請求項２７】
前記会員カードには、会員の生年に２桁、会員の性別と誕生日の日付に３桁の、計５桁の数字がコード化されている、ことを特徴とする請求項２６記載の会員カード作成方法。
【請求項２８】
前記会員カードには、会員の性別と誕生日の日付として、月日及び閏年を考慮して、男性又は女性の一方は、誕生日の日付に基づき、３６６通りの３桁の数に一意に設定され、男性又は女性の他方は、誕生日の日付に基づき、前記３６６通りの数とは異なる値の３桁の３６６通りの数に一意に設定されてコード化されている、ことを特徴とする請求項２６記載の会員カード作成方法。
【請求項２９】
会員の性別と誕生日の日付として、月日及び閏年を考慮して、男性又は女性の一方は、誕生日の日付に基づき、３６６通りの３桁の数に一意に設定され、男性又は女性の他方は、誕生日の日付に基づき、前記３６６通りの数とは異なる値の３桁の３６６通りの数に一意に設定されてコード化されている、ことを特徴とする会員カード。
【発明の詳細な説明】
【０００１】
【発明の属する技術分野】
本発明は、ＰＯＳシステムに関し、特に、ローカル環境下における会員情報を用いた会員システムに適用して好適な装置、方法並びにコンピュータプログラムに関する。
【０００２】
【従来の技術】
ＰＯＳシステムとして、年齢情報を取得するために、磁気カードやＩＣカード等の外部記憶媒体や身分証明書から取得することで、年齢制限等の特定商品への対応を可能としたシステムが知られている（例えば特許文献１参照）。
【０００３】
上記特許文献１には、商品を特定するための商品コードを入力する入力手段と、該商品コードと該商品に関する商品情報との関連を保持するＰＬＵファイルと、入力された商品を記憶するためのメモリと、装置の動作を制御する制御部と、制御部の命令に応じて措置の状態を出力する出力手段を備えたＰＯＳシステムにおいて、ＰＬＵファイルには、商品を購入する者の年齢を制限した商品であるか否かを示す情報を持たせ、前記制御部は、入力手段から商品コードが入力されたら、前記ＰＬＵファイルを参照して年齢制限商品であるか否かを判断し、年齢制限商品である場合、出力手段に、年齢制限商品であることを示す出力を行うことにより、従業員又は顧客は、年齢制限商品を扱うに際し、出力手段を監視することにより、当該商品が年齢制限商品であることを容易に判断することができるようにしたＰＯＳシステムが提案されている。このＰＯＳシステムでは、会員カードを用いて購入する場合、会員カードをカード読取書込器に入力することで商品登録処理を行い、ＰＬＵファイルの情報から、当該商品が年齢制限商品である場合、会員カードから読み取った年齢と照合し、購入者が年齢制限を受けない年齢であれば通常の商品登録処理を行う。
【０００４】
また個々の顧客に対応して予め設定された種々の特典サービスの中から当該顧客に対して最適な特典サービスを期間毎又は時間毎に適宜選択して提供できるようにした商品販売管理端末装置及びシステムが知られている（例えば特許文献２）。
【０００５】
この従来のシステムでは、顧客が購入した商品の商品コード等を入力するための入力装置と、商品情報を表示するための表示装置と、レシートを発行するための印刷装置と、商品コードに対応する価格等のデータを格納するＰＬＵファイルとともに、購入者に対して付与される種々の特典サービス情報ファイルを格納した記憶手段と、を具備し、印刷されるレシートには、商品購入に関するレシート情報とともに、購入された特定商品ごとに、予め設定された条件に基づいて、中央データ処理装置により、種々の特典情報データの中から選択された又は所定のデータ処理によって抽出された特典サービス情報を印刷出力する構成とされている。この従来のシステムでは、当たり券を付与した商品値引きクーポンサービスである場合、購入指定メーカー、指定商品、購入者の年代２０歳代、４０歳代、性別等の予め定めた条件に一致した購入客に、購入金額により、それぞれ設定した商品の割引クーポン券とサービス情報ファイルにある当該サービス情報を合成して印刷可能なレシート用に編集して、指定商品の値引きクーポン券付きレシートを印刷する。このシステムでは、係り（担当者）が主観的に顧客の年齢を判断しＰＯＳシステムに入力するため、特定年齢を正確に把握できず、的確な情報を表示することが困難である。
【０００６】
また、非接触方式の改札認証を行えるバーコード方式のゲート設備が知られている（例えば特許文献３）。このゲート設備は個人データを参照するものではない。
【０００７】
さらに、クレジットカードによる販売システムにおいて、クレジットカード番号の漏洩を防止するシステムが知られている（例えば特許文献４）。
【０００８】
さらに、ＰＯＳシステムとして、ＰＯＳの売上データに基づく販促用コンテンツを各店舗のコンテンツ表示端末に自動配信する方法とシステムが知られている（例えば特許文献５）。
【０００９】
さらに、会員マスタに顧客が居住する地区の地区コードを設定し、地区マスタファイルに各地区コード別にポイント倍率を設定し、ＰＯＳ端末において、会員カードが読み取られ、ストアコンピュータが会員コードに対応した地区コードを会員マスタファイルから取得し、地区コードに対応したポイント倍率を取得してＰＯＳ端末に応答する構成とされた商品販売登録データ処理装置が知られている（例えば特許文献６）。
【００１０】
さらに、誕生日等の特定日又はその特定期間での買い上げには、通常の特典ポイントよりも大きな特典ポイントを自動的に付与できるようにした商品販売データ処理装置が知られている（例えば特許文献７）。この装置では、会員が店で買い物をする際に持参する会員カードは、顧客の会員番号、顧客の特典ポイント累計値及び顧客の誕生日情報を記憶する個人情報記憶手段として機能し、ＩＤマーク、業務コード、暗証コード、企業コード、累計ポイント、最新更新年月日、氏名、誕生日年月日、カード使用回数、最新書き込みレジナンバー、優待レベルナンバー等のデータが書き込まれている。
【００１１】
さらにまた、ＰＯＳと個人別に記録されるカードによって個人別判断手段で個人を識別し、顧客個人毎に、個人別属性、個人別購買情報を収集して、個人別情報記憶手段に記憶し、個人別属性、個人別購買情報を販売店が設定する特定の条件にしたがって検索し、特定の条件に合致する該当者を、予め条件該当者記憶手段に記憶し、レジを訪れた顧客を、この顧客のカードと、個人判別手段で識別し、顧客が予め設定されている一率の販促、顧客サービスと異なる顧客であるか判断し、顧客が予め設定されている一率の販促、顧客サービスと異なる顧客でないと判断されたとき、レジ係への作業指示としてＰＯＳ端末機に設けられた表示手段に販促、顧客サービス作業指示記憶手段に記憶された内容に対応する文字、数字を表示する構成が知られている（例えば特許文献８）。
【００１２】
【特許文献１】
特開平７−２７２１２１号公報（第３頁、第１図）
【特許文献２】
特開２００１−３５７４５７号公報（第４、第７頁、第１図、第１６図）
【特許文献３】
登録実用新案第３０４７３０９号公報（第２頁、第１図）
【特許文献４】
特開２００１−３２５５４７号公報（第２−３頁、第１図）
【特許文献５】
特開２００２−９２４５５号公報（第７頁、第１図）
【特許文献６】
特開２００２−２６９６３８公報（第３頁、第１図）
【特許文献７】
特開平５−２９８５５７号公報（第３頁、第２図）
【特許文献８】
特許第２７５６２６１号公報（第２−３頁、第２図）
【００１３】
【発明が解決しようとする課題】
しかしながら、上記従来のＰＯＳシステムは、以下の問題点を有している。
【００１４】
例えば特許文献１等に記載されている従来のＰＯＳシステムにおいては、磁気カードやＩＣカード等の外部記憶媒体や身分証明書の提示以外に会員情報を取得するには、会員情報をマスタファイルとして一括管理するデータセンター（ホストコンピュータ）に、会員情報をリアルタイム通信で問合せするか、または、各店舗のストアコントローラ等に、全会員の情報を保持することが必要であった。
【００１５】
ＰＯＳシステムでは、リアルタイム通信を実現するには、データセンターの構築が必要となり、通信環境の構築も必要となるため追加投資が必要となる。
【００１６】
また、会員数が多い店舗では、全会員の情報を保持することは、大容量の記憶媒体が必要となり、レスポンスの悪化を招くことにつながる。
【００１７】
ＰＯＳシステムでは、会員情報の取得には、磁気カードやＩＣカード等の外部記憶媒体を読み込むための装置が必要であった。
【００１８】
一般的なＰＯＳシステムでは、磁気カードやＩＣカード等の外部記憶媒体を読み込むためのカードリーダ装置等が具備されているとは限らない。
【００１９】
上記特許文献１、４乃至８に記載されているシステムでは、カード読取り機能を追加するには、新たに、追加投資が必要となる。
【００２０】
そして、レジ等で、顧客の年齢をチェックする場合に、顧客が持参する磁気カードやＩＣカード等の外部記憶媒体を用いない場合は、身分証明書や、あるいは生年月日等が記載されている会員カードを提示する必要があった。
【００２１】
顧客が、レジの係りに、身分証明書を提示することは、顧客の生年月日以外の情報を見せることにもなるため、セキュリティ上の問題が発生する。
【００２２】
また、顧客の氏名、生年月日等が記載されている会員カードを利用したシステムの場合、該会員カードを紛失した場合、個人情報が漏れることになり、この場合もセキュリティ上の問題が発生する。
【００２３】
このように、外部記憶媒体や身分証明書等の提示により、顧客の個人情報をチェックしているのは、会員情報を一括管理するデータセンターに会員情報をリアルタイム通信で問合せできない環境、あるいは、会員数が多いため各店舗に全情報を保持することが出来ない環境下（このような環境を、本明細書では、「ローカル環境」という）では、外部記憶媒体や身分証明書等の提示以外には、会員情報を取得する手段がないためである。
【００２４】
そして、ローカル環境下においては、特定年齢への特定の情報を出すには、身分証明書等の提示が無い場合、係り（担当者）が主観的に顧客の年齢を判断しＰＯＳシステムに入力するため、特定年齢を正確に把握できず、的確な情報を表示することが困難である。すなわち、ＰＯＳシステムでは、ローカル環境下では、正確に年齢を把握する手段が無いためである。
【００２５】
また、ローカル環境下においては、正確な購買年齢を把握し前記売上データファイルに出力することにより販売実績の分析に用いることは、身分証明書等の提示が無い場合、従業員が主観的に顧客の年齢を判断し、ＰＯＳシステムに入力するため、特定年齢を正確に把握できず、正確な分析の実施が困難である。
【００２６】
したがって、本発明の主たる目的は、ローカル環境下における会員カードを用いた会員システムに適用して好適な装置、システム、方法並びにコンピュータプログラムを提供することである。
【００２７】
【課題を解決するための手段】
上記目的を達成する本発明の１つのアスペクトに係る装置は、商品コードを読み込むための入力手段と、前記商品に関する優待情報を商品コードに対応させて格納した記憶手段と、を備え、前記入力手段により、会員情報として、会員の性別及び生年月日情報を暗号化しコード化してなる会員カードの読み込みが行われるとともに、前記入力手段にて商品コードの読み込みが行われ、前記会員の性別及び生年月日情報と商品の優待情報とに基づき、前記会員が優待対象であると判定した場合、前記記憶手段に記憶されている優待情報を出力する手段を備えている。
【００２８】
本発明において、前記入力手段が、バーコードを読み取るスキャナよりなり、前記会員カードには、会員情報がバーコード印刷されている。
【００２９】
本発明において、前記会員カードには、会員の性別と誕生日の日付とを合わせて３桁の数字にコード化されている。本発明によれば、前記会員カードには、好ましくは、会員の性別と誕生日の日付として、月日及び閏年を考慮して、男性又は女性の一方は、誕生日の日付に基づき、３６６通りの３桁の数に一意に設定され、男性又は女性の他方は、誕生日の日付に基づき、前記３６６通りの数とは異なる値（範囲）の３桁の３６６通りの数に一意に設定されてコード化されている。
【００３０】
本発明の他のアスペクトに係るシステムによれば、商品を特定するための商品コードを入力する入力手段と、商品コードと商品との関連を保持するＰＬＵマスタファイルと、入力された情報を記憶するためのメモリと、装置の動作を制御する制御部と、前記制御部の命令に応じて処置の状態を表す出力手段と、前記出力手段に表示する情報を保持する出力データファイルと、売上データを出力し保持する売上データファイルと、を有するＰＯＳシステムにおいて、前記ＰＬＵマスタファイルに、優待価格で販売する商品、及び、該商品の対象とする性別及び／又は誕生日の情報を保持し、会員の性別及び生年月日を暗号化しコード化した会員カードより、前記入力手段にて会員情報の読み取りが行われ、前記会員カードより読み取られた前記会員の性別、生年月日と、前記ＰＬＵマスタファイルに格納されている優待価格で販売する商品の対象とする性別及び／又は誕生日の情報を照合し、所定の性別、年齢、誕生日の顧客に対して、優待価格を前記出力手段に出力するように制御する手段を備えている。
【００３１】
本発明の他のアスペクトによれば、前記出力データファイルが、予め定められた特定の年齢、誕生日、性別ごとの画像、メッセージや音声情報を記憶し、前記会員カードより前記入力手段で読み取られた前記会員の性別、生年月日が、前記出力データファイルに記憶される特定の性別、年齢や誕生日に該当するものであるか判定し、該当する場合、前記会員が商品購買時に、前記出力手段に、前記画像、メッセージ、音声情報のいずれかを出力する手段を備えている。
【００３２】
本発明のさらに他のアスペクトによれば、前記会員カードより前記入力手段で読み取られた前記会員の性別、生年月日に基づき、商品の購買年齢を取得し、前記売上データファイルに出力する手段を備えている。
【００３３】
本発明において、店舗において、前記ＰＯＳ装置は、会員情報を一括管理するデータベースに接続するホストコンピュータセンターに会員情報をリアルタイムで問合せを行うことができないか、会員が多いため各店舗のストアコンピュータに全ての会員情報を保持することができないか、あるいは、ＩＣカードや磁気カードの外部記録媒体を読み込むカードリーダ装置が設置されていない場合にも、前記ＰＯＳ装置で優待販売を行うことができる。
【００３４】
本発明において、店舗において、前記ＰＯＳ装置は、会員情報を一括管理するデータベースに接続するホストコンピュータセンターに会員情報をリアルタイムで問合せを行うことができないか、会員が多いため各店舗のストアコンピュータに全ての会員情報を保持することができないか、あるいは、ＩＣカードや磁気カードの外部記録媒体を読み込むカードリーダ装置が設置されていない場合にも、前記ＰＯＳ装置で、前記画像、メッセージ、音声情報のいずれかを出力する。
【００３５】
本発明のさらに別のアスペクトに係る方法によれば、商品コードを読み込むためのＰＯＳ装置の入力手段により、会員情報としての会員の性別及び生年月日情報を暗号化してバーコード化した会員カードの読み込みが行われ、前記ＰＯＳ装置の前記入力手段により、商品のコードのメモリへの読み込みが行われるステップと、
ＰＯＳ装置の制御部は、商品コードに対応させて商品の優待情報が予め格納された記憶手段を参照し、前記商品の優待情報と、前記読み込まれた会員の性別及び生年月日とに基づき、前記会員が優待対象であると判定した場合、前記商品の優待情報を出力手段に出力する制御を行うステップと、を含む。
【００３６】
本発明のさらに別のアスペクトに係るプログラムによれば、商品を特定するための商品コードを入力する入力手段と、商品コードと商品との関連を保持するＰＬＵマスタファイルと、入力された情報を記憶するためのメモリと、装置の動作を制御する制御部と、前記制御部の命令に応じて処置の状態を表す出力手段と、前記出力手段に表示する情報を保持する出力データファイルと、売上データを出力し保持する売上データファイルと、を有し、前記ＰＬＵマスタファイルに、優待価格で販売する商品、及び、該商品の対象とする性別及び／又は生年月日情報を保持するＰＯＳ装置を構成するコンピュータに、会員の性別及び生年月日を暗号化しコード化した会員カードより前記入力手段にて読み取られた会員情報をメモリに記憶し、前記入力手段により読み取られた商品コードから前記ＰＬＵマスタファイルを検索し、前記会員カードより読み取られた前記メモリに保持されている前記会員の性別及び生年月日情報と、前記ＰＬＵマスタファイルに格納されている優待価格で販売する商品の対象とする性別及び／又は生年月日情報を照合し、所定の性別、年齢、誕生日の顧客に対して、優待価格を前記出力手段に出力するように制御する処理を、前記コンピュータに実行させるプログラムよりなる。
【００３７】
【発明の実施の形態】
本発明の実施の形態について説明する。本発明は、商品を特定するための商品コードを入力する入力手段（１０５）と、該当商品コードと該当商品の関連を保持するＰＬＵマスタファイル（１１１）と、入力された情報を記憶するためのメモリ（１０３）と、装置の動作を制御する制御部（１０２）と、制御部（１０２）の命令に応じて処置の状態を表す出力手段（１０６、１０７、１０８、１１０）と、前記出力手段に表示する情報を保持する出力データファイル（１１２）と、売上データを出力し保持する売上データファイル（１１３）を備えたＰＯＳシステムにおいて、会員カードには暗号化した性別及び生年月日情報を記録し、入力手段（１０５）で会員カードの情報を読み込んでメモリに保持し、ＰＬＵマスタファイル（１１１）には、優待価格で販売する商品であるか否か、優待価格及びその対象とする年齢や誕生日の情報をもたせ、制御部（１０２）は、入力手段（１０５）から商品コード及び会員情報を入力された場合に、ＰＬＵマスタファイル（１１１）を参照して商品が優待価格販売商品であるか否か、メモリ（１０３）に保持された性別や誕生日が優待価格適用対象であるか否かを判断し、優待価格適用である場合は、優待価格を出力手段に出力することにより、会員に対して優待価格で販売することを自動的に可能にする。
【００３８】
また、本発明において、出力データファイル（１１２）には、特定の性別、年齢や誕生日ごとのメッセージや画像等の情報をもたせ、制御部（１０２）は、前記入力手段から会員情報を入力されたら、メモリ（１０３）に保持された性別や誕生日、前記出力データファイル（１１２）に保持されている特定の性別、年齢や誕生日を比較し、特定の情報がある場合、前記出力手段に特定情報を出力することにより、販売業務時に自動的に特定の会員に対して情報を出力することを可能にする。
【００３９】
また、本発明において、制御部（１０２）は、入力手段（１０５）から会員情報を入力されたら、メモリ（１０３）に保持された性別や誕生日を一般的なＰＯＳシステムの正確な購買年齢を把握し、売上データファイル（１１３）に出力することにより、正確な情報に基づく情報分析を可能とする。
【００４０】
本発明によれば、会員カードには、会員の性別と誕生日の日付とを合わせて３桁の数字としてコード化されている。すなわち、本発明によれば、会員カードには、好ましくは、会員の性別と誕生日の日付として、月日及び閏年を考慮して、男性又は女性の一方は、誕生日の日付に基づき、３６６通りの３桁の数（例えば００１〜３６６）に一意に設定され、男性又は女性の他方は、誕生日の日付に基づき、前記３６６通りの数とは異なる値（レンジ）の３桁の３６６通りの数（例えば３６７〜７３２）に一意に設定されてコード化されている
【００４１】
本発明の実施の形態において、制御部（１０２）における上記処理は、好ましくは、ＰＯＳ端末装置を構成するコンピュータで実行されるプログラムにより実現される。
【００４２】
【実施例】
本発明の実施例について図面を参照してさらに詳細に説明する。図１は、本発明の一実施例の構成を示す図である。図１を参照すると、この実施例のＰＯＳ装置１００は、オペレータ側にバーコードを読み取るスキャナ１０５と、レシート出力部１０６と、オペレータ側モニタ１０７と、入力用キー１０８と、を備え、顧客側にはカスタマ側モニタ１０９と、スピーカ１１０とを備えている。さらに、ＰＯＳ装置１００は、ＰＯＳ装置全体を制御する制御部１０２と、制御部１０２がＰＯＳ装置１００の制御を行うためのプログラムや各種マスタファイル等を記憶するメモリ１０３と、タイマ１０４を備えている。メモリ１０３は、商品コードと該当商品との関連を保持するＰＬＵ（プライス・ルック・アップ）マスタファイル１１１と、モニタ等に表示する情報を保持する出力データファイル１１２と、売上データを保持する売上データファイル１１３を記憶している。なお、ＰＯＳ装置１００は、キャッシュレジスタ及びストアコントローラ（ストアコンピュータ）を備えてもよい。
【００４３】
図２は、本発明の一実施例における、会員番号１１８の例を示す図である。図２において、汎用領域１１４は、各会員に一意になる番号を割り振る領域である。年領域１１５は、生年（西暦）の下２桁を格納する領域である。性別及び日領域１１６は、誕生日（月日）及び性別の情報を３桁にして格納する領域である。誕生日（月日）及び性別情報を３桁化する方法の一例としては、月日を閏年も考慮して３６６日表記に変換する。
【００４４】
男性の場合、１月１日生まれならば００１、１２月３１日生まれならば３６６とし、女性の場合、３６７を１月１日生まれ、７３２を１２月３１日生まれとする。
【００４５】
性別、生年月日を数字（デジット）で表すと、通常、性別に１桁、生年月日に６桁（年２桁、月に２桁、日に２桁）の計７桁必要とされる。これに対して、本実施例によれば、性別、生年月日を合計５桁の数字で表すことができる。
【００４６】
また、本実施例によれば、性別及び日領域１１６において、女性の１月１日生まれを３６７で表しており、一目では、誕生日を示しているということに気づきにくいので、安全性が向上する。
【００４７】
図２において、ＣＤチェック領域１１７は、バーコードを作る際の、チェックデジット計算によって算出された数字（チェックデジット）が記録される。ＣＤチェック領域１１７は必ずしも使用しなくてもよいが、チェックを用いることにより、安全性が向上する。
【００４８】
以上、汎用領域１１４、年領域１１５、性別及び日領域１１６、ＣＤチェック領域１１７の情報を、ＰＯＳ装置１００で読み取れるバーコード化し、会員カードに印刷する。
【００４９】
すなわち、顧客が会員となり会員カードを作成する場合、顧客の生年月日、性別情報に基づき、図２の年齢領域には、西暦の下２桁、性別及び日領域１１６には、誕生日の月日及び性別を３桁の数字として格納し、会員カードにバーコードを印刷する。さらに、ＣＤチェック領域１１７を印刷する。
【００５０】
図３は、本発明の一実施例におけるＰＬＵマスタファイル１１１のデータ構成を示す図である。図３において、スキャナ１０５から読み取った値と比較して商品を特定するための商品コード１１９に対応させて、商品名１２０、商品の価格１２１、商品を優待販売する対象の性別１２２、優待販売する対象の生年月日の開始日及び終了日１２３、１２４、優待価格１２５の情報が格納される。
【００５１】
図４は、本発明の一実施例における、出力データファイル１１２のデータ構成を示す図である。図４に示すように、出力データファイル１１２は、情報を出力する対象の性別１２７、情報を出力する対象の生年月日の開始日１２７、情報を出力する対象の生年月日の終了日１２８、画像や音声等の情報ファイル１３０からなる。
【００５２】
図５は、本発明の一実施例の会員システムの動作を説明するためのフローチャートであり、特定の性別、年齢や誕生日の顧客に対して、優待価格での販売を行う、ローカル環境下における会員システムの動作一例を示したフローチャートである。以下、図５のフローチャートと、図１、図３を参照して、本発明の一実施例の動作について説明する。
【００５３】
オペレータは、ＰＯＳ端末のスキャナ１０５で、会員情報がバーコード化された会員カードが印刷されている会員カードをスキャンする（ステップ５０１）。
【００５４】
スキャナ１０５で読み取った番号を、制御部１０２に送り、メモリ１０３に保持されているプログラムを用いて、会員番号を、性別及び生年月日情報に変換し、メモリ１０３に、商品登録が終了するまで、会員状態であることを示すフラグを立てる（ステップ５０２）。
【００５５】
その後、オペレータは、商品に付加されているバーコードをスキャナ１０５でスキャンし（ステップ５０３）、制御部１０２は、スキャナ１０５で読みとった商品コードから、ＰＬＵマスタファイル１１１を検索して、ＰＬＵマスタファイル１１１の商品コード１１９と比較し、該当商品があるか探し出す。
【００５６】
探し当てた商品が、ＰＬＵマスタファイル１１１内の優待対象性別１２２、優待対象生年月日開始日１２３及び終了日１２４（図３参照）のいずれかである場合、制御部１０２は、優待対象であると判断し（ステップ５０４）、該優待条件であるＰＬＵマスタファイル１１１内の優待対象性別１２２、優待対象生年月日開始日１２３及び優待対象生年月日終了日１２４（図３参照）と、メモリ１０３内に保持されている性別及び生年月日と比較する（ステップ５０５）。
【００５７】
比較の結果、優待対象である場合には、ＰＬＵマスタファイル１１１内の優待価格１２５を、その商品の価格とし（ステップ５０６）、オペレータ側モニタ１０７及びカスタマ側モニタ１０９に表示して、販売する。
【００５８】
図６は、本発明の一実施例の会員システムの動作を説明するためのフローチャートであり、特定の性別、年齢や誕生日の顧客が商品購買時に、出力手段に特定のメッセージ、画像、メッセージや音声等の情報を出力するローカル環境下における会員システムの処理の一例を示したフローチャートである。本実施例において、出力手段に特定のメッセージ、画像、メッセージや音声等の情報を出力する処理は、上記した優待価格での販売処理と同時に行うようにしてもよい。以下、図６のフローチャートと、図１、図４を参照して、本発明の一実施例の動作について説明する。
【００５９】
会員バーコード化した会員カードが印刷されている会員カードをスキャナ１０５でスキャンする（ステップ６０１）。
【００６０】
スキャナ１０５で読み取った番号が制御部１０２に送られ、メモリ１０３に保持されているプログラムを用いて、会員番号を性別及び生年月日情報に変換し、メモリ１０３に商品登録が終了するまで会員状態であることを示すフラグを立てる（ステップ６０２）。
【００６１】
出力データファイル１１２内の情報出力対象性別１２７、情報出力対象生年月日開始日１２８及び終了日１２９（図４参照）と、メモリ１０３内に保持されている性別及び生年月日と比較し（ステップ６０３）、情報出力対象である場合は、出力データファイル１１２内の画像や音声等の情報ファイル１３０から該当するデータを取りだし、カスタマ側モニタ１０９やスピーカ１１０より情報を出力する（ステップ６０４）。
【００６２】
前述したとおり、会員状態フラグは、商品登録終了時まで保持し続けるため、商品登録終了時まで情報出力が行われる（ステップ６０５）。また、会員状態フラグの代わりに、タイマ１０４を用いて、タイマ１０４でのタイムアウト発生のイベント等、時間制御によって情報の出力を制御するようにしてもよい。
【００６３】
また、通常、ＰＯＳシステムでは、売上終了時に、売上データを、売上データファイル１１３に蓄積している。
【００６４】
本実施例においては、会員として登録されている場合には、会員番号より、変換された性別や生年月日を書き込むことにより、正確な購買データを蓄積することができる。
【００６５】
以上本発明を上記実施例に即して説明したが、本発明は、上記実施例の構成にのみ限定されるものでなく、特許請求の範囲の請求項の発明の範囲内で当業者であればなし得る各種変形、修正を含むことは勿論である。
【００６６】
すなわち、上記実施例では、本発明をＰＯＳシステムに適用した例に即して説明したが、本発明は、ＰＯＳにのみ、適用が限定されるものでないことは勿論である。例えばバーコードハンドスキャナを備えたパーソナルコンピュータやＰＤＡ（パーソナルデジタルアシスタンツ）等の携帯情報端末を用いることにより、例えば体育館や公民館、図書館、スポーツジム、遊園地等施設の利用の際に、特定の性別、年齢や誕生日の利用者に対して、出力手段に特定の画像、メッセージや音声等の情報を出力することができる。
【００６７】
【発明の効果】
以上説明したように、本発明によれば、ローカル環境下において、特定の性別、年齢や誕生日の顧客に対して優待価格での販売を行うことを可能としている。
【００６８】
また本発明によれば、ローカル環境下において、特定の性別、年齢や誕生日の顧客に、購買時に出力手段に特定の画像、メッセージや音声等の情報の出力するか、あるいは、顧客の正確な生年月日や性別を用いて販売実績の分析を自動的に行うことができる。
【図面の簡単な説明】
【図１】本発明の一実施の形態のＰＯＳ装置の構成を説明するための図である。
【図２】本発明の一実施の形態における会員番号の領域を示す図である。
【図３】本発明の一実施の形態におけるＰＬＵマスタファイルのデータ構成の一例を示す図である。
【図４】本発明の一実施の形態における出力データファイルのデータ構成を示す図である。
【図５】本発明の一実施の形態における優待販売処理の処理手順を説明するためのフローチャートである。
【図６】本発明の一実施の形態における特定情報出力処理の処理手順を説明するためのフローチャートである。
【符号の説明】
１００  ＰＯＳ装置
１０２  制御部
１０３  メモリ
１０４  タイマ
１０５  スキャナ
１０６  レシート出力部
１０７  オペレータ側モニタ
１０８  入力用キー
１０９  カスタマ側モニタ
１１０  スピーカ
１１１  ＰＬＵマスタファイル
１１２  出力データファイル
１１３  売上データファイル
１１４  汎用領域
１１５  年領域
１１６  性別及び日領域
１１７  ＣＤチェック領域
１１８  会員番号領域
１１９  商品コード
１２０  商品名
１２１  価格
１２２  優待対象性別
１２３  優待対象生年月日開始日
１２４  優待対象生年月日終了日
１２５  優待価格
１２６  ＰＬＵマスタファイル
１２７  情報出力対象性別
１２８  情報出力対象生年月日開始日
１２９  情報出力対象生年月日終了日
１３０  画像や音声等の情報ファイル
１３１  出力データファイル
【図１】
2004157920.tif 000003
【図２】
2004157920.tif 000004
【図３】
2004157920.tif 000005
【図４】
2004157920.tif 000006
【図５】
2004157920.tif 000007
【図６】
2004157920.tif 000008